(57)【要約】【課題】音声出力手段による異常報知機能が阻害されず、高い不正行為防止効果を発現するスロットマシンを提供する。【解決手段】スロットマシンの主制御装置９は、異常を検知した場合に、音声出力手段であるスピーカ１７から警報音を発生させる異常報知処理を実行する。また、主制御装置９は、スピーカ１７とともに、開放時に痕跡が残るように構成された収納ボックス３１内に収納されている。それゆえ、収納ボックス３１が不正開放されてスピーカ１７が破壊された場合には、速やかにその事態を把握することができる。【選択図】図２
2006305000.tif 000002
【特許請求の範囲】
【請求項１】
複数の図柄を表示可能な図柄表示手段と、前記図柄表示手段に表示される図柄を停止させるための停止操作手段と、遊技を開始するための開始操作手段と、遊技内容を制御する制御装置と、音声を出力可能な音声出力手段とを備えており、
遊技媒体の投入を条件とした前記開始操作手段の操作を契機として前記制御装置において抽選を実行し、その抽選の結果、所定の当たりとなった場合には、前記停止操作手段の操作により前記図柄表示手段の表示結果が予め定められた特定の態様となったことを条件として、遊技者に所定の遊技特典を付与するとともに、
遊技中に所定のタイミングで前記音声出力手段から各種の音声を出力するスロットマシンであって、
前記制御装置が、異常を検知した場合に前記音声出力手段から警報音を出力する異常報知処理を実行するとともに、
前記音声出力手段が、前記制御装置とともに収納ボックス内に収納されていることを特徴とするスロットマシン。
【請求項２】
前記収納ボックスが、開放された場合に痕跡が残るように構成されていることを特徴とする請求項１に記載のスロットマシン。
【発明の詳細な説明】
【技術分野】
【０００１】
本発明は、スロットマシンに関するものである。
【背景技術】
【０００２】
遊技機の一種として、筐体内に複数の回転リールが回転自在に設置されており、遊技コインの投入後にスタートスイッチが操作されることによって回転リールが回転を開始し、ストップスイッチの操作によって回転リールが回転を停止し、停止した回転リール上の図柄が有効入賞ライン上で所定の当たり図柄を構成したことを条件として、投入枚数より多い遊技コインを賞品コインとして払い出すスロットマシンが知られている。
【０００３】
【特許文献１】特開平８−７９６号公報
【０００４】
また、スロットマシンの中には、作動エラー等が生じた場合や、不正行為が行われた可能性がある場合等の異常を検知した場合に、内蔵されたスピーカ等の音声出力手段により警報音を発生させて周囲の注意を喚起するように構成されたものもある。
【発明の開示】
【発明が解決しようとする課題】
【０００５】
しかしながら、上記した警報音を発生させるスロットマシンにおいては、内蔵された音声出力手段の周辺設備を予め破壊した上で（たとえば、スピーカのハーネスを切断したりした上で）、不正に当たりを生起させたり、コインの払出数を増加させたりする不正行為が行われる虞れがある。
【０００６】
本発明の遊技機は、上記従来のスロットマシンにおける問題点を解消し、音声出力手段による異常報知機能が常に損なわれず、高い不正行為防止効果を発現することが可能なスロットマシンを提供することにある。
【課題を解決するための手段】
【０００７】
かかる本発明の内、請求項１に記載された発明の構成は、複数の図柄を表示可能な図柄表示手段と、前記図柄表示手段に表示される図柄を停止させるための停止操作手段と、遊技を開始するための開始操作手段と、遊技内容を制御する制御装置と、音声を出力可能な音声出力手段とを備えており、遊技媒体の投入を条件とした前記開始操作手段の操作を契機として前記制御装置において抽選を実行し、その抽選の結果、所定の当たりとなった場合には、前記停止操作手段の操作により前記図柄表示手段の表示結果が予め定められた特定の態様となったことを条件として、遊技者に所定の遊技特典を付与するとともに、遊技中に所定のタイミングで前記音声出力手段から各種の音声を出力するスロットマシンであって、前記制御装置が、異常を検知した場合に前記音声出力手段から警報音を出力する異常報知処理を実行するとともに、前記音声出力手段が、前記制御装置とともに収納ボックス内に収納されていることにある。
【０００８】
請求項２に記載された発明の構成は、請求項１に記載された発明において、前記収納ボックスが、開放された場合に痕跡が残るように構成されていることにある。
【発明の効果】
【０００９】
請求項１に記載のスロットマシンは、音声出力手段が制御装置とともに収納ボックス内に収納されているので、収納ボックスを不正開放できないように構成したり、収納ボックスを集中的に監視するように構成するだけで、制御装置に対する不正行為を防止できるとともに、異常時に音声出力手段から警報音を出力する異常報知機能が担保される。
【００１０】
請求項２に記載のスロットマシンによれば、収納ボックスがこじ開けられて音声出力手段の周辺設備が壊されること等により異常報知不能となった場合には、速やかにその事態を把握することが可能となる。
【発明を実施するための最良の形態】
【００１１】
以下、本発明のスロットマシンの一実施形態について、図面にしたがって詳細に説明する。図１は、本発明に係るスロットマシンの正面を示したものである。スロットマシン１は、箱状に形成されており、内部には、扁平な円筒状の三個の回転リール３，３，３が、水平軸を中心として回転可能に設置されている。また、本体２の中央には、横長な長方形状の表示窓４が設けられており、三個の回転リール３，３，３に付された図柄の一部が見えるようになっている。さらに、表示窓４の上方には、液晶表示装置１３が設けられており、各種の動画やメッセージを表示することができるようになっている。一方、表示窓４の下方には、遊技コインのクレジット数（内部貯留数）を表示するためのクレジット表示部１１が設けられている。
【００１２】
また、右側の回転リール３の斜め下方には、遊技媒体である遊技コインを投入するためのコイン投入口８が設けられている。一方、左側の回転リール３の下方には、クレジットとして内部に貯められた遊技コイン数を減じて遊技コインの投入に代替するためのベットスイッチ４６がプッシュ操作可能に設けられており、そのベットスイッチ４６の左下方には、３つの回転リール３，３，３の回転を開始させるための開始操作手段であるレバー式のスタートスイッチ６が設けられている。また、スタートスイッチ６の右側には、クレジットとして貯められた遊技コインを払い出すための精算スイッチ４７がプッシュ操作可能に設けられており、その精算スイッチ４７の右側には、リールユニットの駆動によって回転リール３，３，３の回転を停止させるための３つのストップスイッチ７，７，７が、それぞれプッシュ操作可能に設けられている。さらに、それらの各種の操作スイッチの下側には、スロットマシン１の作動内容を制御するための制御装置である主制御装置９を収納した収納ボックス３１が内蔵されている。
【００１３】
図２は、収納ボックス３１を分解して示したものである。収納ボックス３１は、透明な合成樹脂製の下カバー３２と上カバー３３とによって構成されており、両者が一体となって、主制御装置９を搭載した主制御基板５１を覆っている。
【００１４】
上カバー３３は、後面を開口した横長な直方体状に形成されており、長方形状のフロントパネル３４の周囲が、略直角に後方に折り返された状態になっている。また、フロントパネル３４の左右の側面３５，３５には、それぞれ、係合翼３６，３６が外側に突出するように設けられており、各係合翼３６，３６には、それぞれ、筒状のネジ保持部４２，４２・・が４個ずつ設けられている。各ネジ保持部４２，４２・・は、中心から放射方向に配置された切断容易な２つの小径連結体４８，４８によって、係合翼３６に一体的に設けられており、各ネジ保持部４２，４２・・の内部には、図示しないワンウェイタイプの封印ネジ（ドライバを利用して一方向にのみ回転させることができ、他方向に回転させることができないかしめネジ）が保持されている。加えて、係合翼３６，３６の上端および下端には、それぞれ、先端を矢尻状に形成した係合体３７，３７が突設されている。なお、フロントパネル３４の中央には、スピーカ１７からの音声を外部に伝えるための音声伝達用孔４９が穿設されている。
【００１５】
一方、下カバー３２は、扁平な直方体状に形成されており、長方形状の支持板３８の周囲に、主制御基板４１を螺着するためのリブ３９，３９・・が立設されている。また、左右の側面４０，４０には、それぞれ、支持翼４１，４１が外側に突出するように設けられている。各支持翼４１，４１には、それぞれ、ネジ孔４３，４３・・が４個ずつ等間隔に穿設されており、上端および下端には、それぞれ、係合孔１２，１２が穿設されている。
【００１６】
また、主制御基板５１は、縦長な長方形に形成されており、スロットマシン１の作動内容を制御する主制御装置９等の各種の制御素子が表面に設置されている。なお、主制御装置９は、各種の演算処理を行うＣＰＵを中心としたＭＰＵ（マイクロプロセッシングユニット）、データやプログラム等を一時的に記憶するＲＡＭ、各種のデータや制御プログラム等を記憶したＲＯＭ等を一体にモールディングしたものである。さらに、主制御基板５１の略中央には、音声出力手段であるスピーカ１７が設置されている。かかる主制御基板５１は、リブ３９，３９・・を利用して下カバー３２に螺着されている。
【００１７】
収納ボックス３１は、上カバー３３の各係合体３７，３７を、下カバー３２の各係合孔１２，１２に係止させ、上カバー３３の左側のネジ保持部４２，４２・・の内の１つに保持された封印ネジと、上カバー３３の右側のネジ保持部４２，４２・・の内の１つに保持された封印ネジとを、それぞれ、下カバー３２の左右の支持翼４１，４１に螺着させることによって、一体的に組み付けられている。
【００１８】
上記の如く構成された収納ボックス３１においては、上カバー３３のネジ保持部４２，４２と下カバー３２の支持翼４１，４１とがワンウェイタイプの封印ネジによって螺着されているため、封印ネジを螺着時と反対方向に回転させても、螺着状態が解除されない。それゆえ、上カバー３３を取り外して開放する場合には、ネジ保持部４２，４２の前方の小径連結体４８，４８・・を、ニッパ等の工具で切断し、各ネジ保持部４２，４２を上カバー３３から切り離さなければならず、開放時にはその痕跡が残ることになる。
【００１９】
反対に、小径連結体４８，４８を切断したネジ保持部４２以外のネジ保持部４２，４２・・を下カバー３２の支持翼４１，４１と螺着することによって、再度、上カバー３３と下カバー３２とを組み付けることができる。それゆえ、収納ボックス３１は、上カバー３３と下カバー３２との組み付け、分離を４回繰り返すことができる。
【００２０】
一方、図３は、スロットマシン１の制御機構を示すブロック図である。スロットマシン１の主制御装置９には、スタートスイッチ６やストップスイッチ７，７，７等の操作スイッチ１０、回転リール３，３，３を駆動させるためのリールユニット５、遊技コインを賞品コインとして払い出すためのホッパユニット１２等が接続されている。また、主制御装置９は、液晶表示装置１３の表示内容を制御するための表示制御装置１４、効果音を制御するための音制御装置１５、発光部材の発光態様を制御するための発光制御装置１６を介して、液晶表示装置１３、スピーカ１７、電飾ランプ１８と接続されている。かかる主制御装置９は、内蔵されたＣＰＵがＲＯＭに記憶されたプログラムを読み込むことで、各種の動作を制御するようになっている。
【００２１】
上記の如く構成されたスロットマシン１は、所定枚数のコインがコイン投入口８に投入されてスタートスイッチ６が操作された場合に、主制御装置９内で「抽選」を実行し、その「抽選」の結果、所定の「当たり」となった場合には、各回転リール３，３，３上の所定の図柄が有効入賞ラインＬ上に揃い易くなるように制御し、遊技者によるストップスイッチ７，７，７の操作により所定の図柄が有効入賞ライン（図１におけるＬ）上に揃ったことを条件として、ホッパユニット１２によって、所定枚数の遊技コインが賞品コインとして払い出される。
【００２２】
遊技コインの払出は、所定の枚数（たとえば、５０枚）までは、クレジットとして主制御装置９内のＲＡＭに記憶させることによって実行され、所定の枚数以上の払出は、コイン貯留手段（図示せず）に貯留された遊技コインを実際に貯留皿２７に払い出すことによって行われる。なお、クレジットされた遊技コインの枚数（主制御装置９内のＲＡＭに記憶された枚数）は、クレジット表示部１１に表示される。また、ホッパユニット１２により賞品コインを払い出した場合には、その旨および貯められた時刻が、主制御装置９のＲＡＭに記憶される。
【００２３】
また、スロットマシン１は、主制御装置９内でＲＯＭに記憶された異常報知プログラムを繰り返し実行することによって、クレジットの内容に異常があった場合に、スピーカ１７から警報音を発生させることによりその旨を報知するようになっている。図４は、異常報知プログラムによる異常報知処理の内容を示すフローチャートであり、異常報知処理においては、まず、ステップ（以下、単にＳで示す）１において、クレジット表示部に表示されたクレジット数が変更（増加）されたか否か判断される。Ｓ１でクレジット数が変更されたと判断された場合（Ｓ１で“ＹＥＳ”と判断された場合）には、続くＳ２で、主制御装置９のＲＡＭが参照されて、そのクレジット数の変更が、ホッパユニット１２により賞品コインが払い出された後のものであるか否か判断される。そして、Ｓ２で“ＮＯ”と判断された場合（すなわち、クレジット数の変更が、ホッパユニット１２により賞品コインが払い出された後のものでないと判断された場合）には、Ｓ４が実行され、スピーカ１７から警報音を発生させるための警報音出力処理が実行される。
【００２４】
また、Ｓ２で“ＹＥＳ”と判断された場合（すなわち、クレジット数の変更が、ホッパユニット１２により賞品コインが払い出された後のものであると判断された場合）には、続くＳ３で、主制御装置９のＲＡＭが参照されて、クレジット数の変更が、ホッパユニット１２の作動から所定時間経過後のものであるか否か判断される。そして、Ｓ３で“ＹＥＳ”と判断された場合（すなわち、クレジット数の変更が、ホッパユニット１２により賞品コインが払い出されてから所定時間経過後に行われたものであると判断された場合）にも、Ｓ４で警報音出力処理が実行される。
【００２５】
一方、Ｓ３で“ＮＯ”と判断された場合（すなわち、クレジット数の変更が、ホッパユニット１２により賞品コインが払い出されてから所定時間内に行われたものであると判断された場合）には、警報音出力処理を実行することなく異常報知処理を終了する。
【００２６】
スロットマシン１は、上記の如く、主制御装置９が、異常を検知した場合にスピーカ１７から警報音を出力させる異常報知処理を実行するとともに、スピーカ１７が、主制御装置９とともに収納ボックス３１内に収納されているので、収納ボックス３１を不正開放できないように構成したり、収納ボックス３１を集中的に監視するように構成するだけで、主制御装置９に対する不正行為を防止できるとともに、異常時にスピーカ１７から音声を出力させる異常報知機能が担保される。
【００２７】
また、スロットマシン１は、収納ボックス３１が、開放された場合に痕跡が残るように構成されているので、収納ボックス３１がこじ開けられてスピーカ１７の周辺設備が壊されること等により異常報知不能となった場合には、速やかにその事態を把握することができる。
【００２８】
なお、本発明のスロットマシンの構成は、上記実施形態の態様に何ら限定されるものではなく、制御装置、音声出力手段、収納ボックス等の構造、形状等の構成を、本発明の趣旨を逸脱しない範囲で、必要に応じて適宜変更することができる。
【００２９】
たとえば、本発明のスロットマシンは、上記の如く、クレジット数の変更において異常を検知した場合に音声出力手段が警報音を発生させるものに限定されず、作動エラーを検知した場合等のクレジット数の変更とは異なる事態に関連して警報音を発生させるものに変更することも可能である。
【００３０】
また、スロットマシンは、収納ボックスが不正に開放された場合に音声出力手段から警報音を発生させるように構成することも可能である。かかる構成を採用した場合には、スロットマシンの有する不正行為防止機能がより精度の高いものとなる。
【図面の簡単な説明】
【００３１】
【図１】スロットマシンの正面図である。
【図２】収納ボックスを分解して示す斜視説明図である。
【図３】スロットマシンの制御機構を示すブロック図である。
【図４】異常報知処理の内容を示すフローチャートである。
【符号の説明】
【００３２】
１・・スロットマシン、９・・主制御装置、１７・・スピーカ、３１・・収納ボックス。
【図１】
2006305000.tif 000003
【図２】
2006305000.tif 000004
【図３】
2006305000.tif 000005
【図４】
2006305000.tif 000006